(57)【特許請求の範囲】
【請求項１】
部屋に据え付けられる空気調和機の本体から、前記空気調和機の本体が吹き出す気流の向きを示す情報を気流情報として受信するリモートコントロール装置受信部と、
前記空気調和機の本体が吹き出す気流の向きをそれぞれ表す図形群を気流図形パターン群として記憶するとともに、前記部屋の複数のエリアを表す図形を床面グリッドパターンとして記憶するリモートコントロール装置記憶部と、
前記リモートコントロール装置記憶部が記憶している気流図形パターン群の中から、前記リモートコントロール装置受信部が受信した気流情報により示される気流の向きを表す気流図形パターンを選択するリモートコントロール装置処理部と、
前記リモートコントロール装置処理部が選択した気流図形パターンと、前記リモートコントロール装置記憶部が記憶している床面グリッドパターンとを重ねて、前記空気調和機の本体が前記部屋のどのエリアに気流を吹き出しているかを画面に表示するリモートコントロール装置表示部と
を備えたことを特徴とするリモートコントロール装置。
【請求項２】
前記気流情報は、さらに、前記空気調和機の本体が吹き出す気流の強さを示す情報であり、
前記気流図形パターン群は、さらに、前記空気調和機の本体が吹き出す気流の強さをそれぞれ表す図形群であり、
前記リモートコントロール装置処理部は、前記リモートコントロール装置記憶部が記憶している気流図形パターン群の中から、前記リモートコントロール装置受信部が受信した気流情報により示される気流の向き及び強さを表す気流図形パターンを選択することを特徴とする請求項１に記載のリモートコントロール装置。
【請求項３】
前記リモートコントロール装置受信部は、前記空気調和機の本体から、前記空気調和機の本体が検知した人体が存在する位置を示す情報を人体位置情報として受信し、
前記リモートコントロール装置記憶部は、人体を表す図形を人体図形パターンとして記憶し、
前記リモートコントロール装置処理部は、前記リモートコントロール装置記憶部が記憶している床面グリッドパターンの中で、前記リモートコントロール装置受信部が受信した人体位置情報により示される位置に対応する表示位置を計算し、
前記リモートコントロール装置表示部は、さらに、前記画面に表示する床面グリッドパターンの、前記リモートコントロール装置処理部が計算した表示位置に、前記リモートコントロール装置記憶部が記憶している人体図形パターンを表示することを特徴とする請求項１又は２に記載のリモートコントロール装置。
【請求項４】
請求項１から３のいずれかに記載のリモートコントロール装置と、
気流を吹き出す送風機と、前記送風機が吹き出す気流の上下方向の向きを調節する上下風向制御板と、前記送風機が吹き出す気流の左右方向の向きを調節する左右風向制御板と、前記部屋の温度分布を測定する輻射センサと、前記輻射センサが測定した温度分布を基に、前記部屋の壁の位置と前記部屋の床の位置とを検知する部屋情報検知部と、前記部屋情報検知部が検知した壁の位置と床の位置とを基に、前記上下風向制御板と前記左右風向制御板とが調節する気流の向きを決定する空気調和機処理部と、前記空気調和機処理部が決定した気流の向きに合わせて前記上下風向制御板と前記左右風向制御板とを制御する空気調和機出力部と、前記空気調和機処理部が決定した気流の向きを示す情報を気流情報として前記リモートコントロール装置に送信する空気調和機送信部とを有する本体と
を備えたことを特徴とする空気調和機。
【発明の詳細な説明】
【技術分野】
【０００１】
この発明は、空気調和機および空気調和機用のリモートコントロール装置に関する。
【背景技術】
【０００２】
空気調和機用のリモートコントロール装置において、空気調和機とリモートコントロール装置との間での双方向通信を行う方法がある。（例えば、特許文献１〜３参照）。
【先行技術文献】
【特許文献】
【０００３】
【特許文献１】特開２００７−３０３８２１
【特許文献２】特開２００１−４１５４５
【特許文献３】特開昭６２−２１０３４３
【発明の概要】
【発明が解決しようとする課題】
【０００４】
この発明の実施の形態は、例えば空気調和機の自動運転時における空気調和機の稼働状態をリモートコントロール装置で表示することを目的とする。
【課題を解決するための手段】
【０００５】
この発明に係るリモートコントロール装置は、
空気調和機から吹き出す調和空気の気流情報を受信するリモートコントロール装置受信部と、
気流を表すための気流図形パターン群を記憶するリモートコントロール装置記憶部と、
前記リモートコントロール装置記憶部が記憶している前記気流図形パターン群の中から、前記リモートコントロール装置受信部が受信した気流情報に対応した気流図形パターンを検索し、検索した前記気流図形パターンを用いて前記空気調和機から吹き出す調和空気の気流の状態を示す気流情報パターンを生成して出力するリモートコントロール装置処理部と、
前記リモートコントロール装置処理部が出力した前記気流情報パターンを表示するリモートコントロール装置表示部と
を備えたことを特徴とする。
【発明の効果】
【０００６】
この発明に係るリモートコントロール装置は、例えば自動運転時における空気調和機の稼働状態を表示することが可能となる。
【図面の簡単な説明】
【０００７】
【図１】実施の形態１を示す図で、空気調和機９００（空気調和機本体２０１）とリモートコントロール装置９０１の外観図。
【図２】実施の形態１を示す図で、空気調和機９００のリモートコントロール装置９０１の外観図。
【図３】実施の形態１を示す図で、空気調和機９００とリモートコントロール装置９０１の構成を示すブロック図。
【図４】実施の形態１を示す図で、リモートコントロール装置表示部３３０の表示例（（ａ）は、シーンセレクトボタン３３４が操作された場合のシーンセレクト画面、（ｂ）はメニューボタン３３６が操作された場合のメニュー画面、（ｃ）はおしらせナビボタン３４１が操作された場合のおしらせナビ画面）。
【図５】実施の形態１を示す図で、空気調和機９００とリモートコントロール装置９０１の動作を示すフローチャート。
【図６】実施の形態１を示す図で、空気調和機９００の左右風向制御板の図示を省略した正面図。
【図７】実施の形態１を示す図で、空気調和機９００の上下風向制御板の図示を省略した正面図。
【図８】実施の形態１を示す図で、空気調和機９００の縦断面図。
【図９】実施の形態１を示す図で、空気調和機９００の風向制御に関わる駆動部分の構造を示す風向制御駆動部構造図。
【図１０】実施の形態１を示す図で、上下風向制御板２０６の制御による風向動作を示す図（（ａ）は、左右風向制御板２０７の図示を省略した正面図、（ｂ）は風向動作を示す側面図）。
【図１１】実施の形態１を示す図で、左右風向制御板２０７の制御による風向動作を示す上下風向制御板２０６の図示を省略した正面図。
【図１２】実施の形態１を示す図で、気流図形パターン群（左）６０２ａの図。
【図１３】実施の形態１を示す図で、気流図形パターン群（右）６０２ｂの図。
【図１４】実施の形態１を示す図で、気流情報パターンの表示例を示す図（（ａ）は、気流情報の第一の例、（ｂ）は、気流情報の第二の例、（ｃ）は、気流情報の第三の例）。
【図１５】実施の形態１を示す図で、気流情報パターンの一覧を示す図。
【図１６】実施の形態２を示す図で、空気調和機９００とリモートコントロール装置９０１の構成を示すブロック図。
【図１７】実施の形態２を示す図で、人体図形パターン６０６の表示例を示す図（（ａ）は、人体図形パターン６０６のみの表示、（ｂ）は、人体図形パターン６０６と気流情報パターン６０３の表示）。
【図１８】実施の形態３を示す図で、風よけモードと風あてモードを示す図（（ａ）は風よけモードを示す図、（ｂ）は風あてモードを示す図）。
【発明を実施するための形態】
【０００８】
実施の形態１．
本実施の形態の概要を以下に説明する。
【０００９】
まず、空気調和機９００の空気調和機本体２０１について説明する。
【００１０】
図１は、空気調和機９００（空気調和機本体２０１）とリモートコントロール装置９０１の外観図である。
図１に示すように、空気調和機本体２０１は、その前面に、例えば赤外線センサなどの輻射センサ２１４を備えている。この輻射センサ２１４は、空気調和対象の部屋の温度分布データを測定する。
【００１１】
空気調和機本体２０１は空気調和対象の部屋の室温を測定する室温センサ２１５、リモートコントロール装置９０１からの信号を受信する空気調和機受信部４００と、リモートコントロール装置９０１に信号を送信する空気調和機送信部４０１と、空気調和機９００の省エネルギー運転が可能な状態であることを示す情報ランプ２１６とを備えている。
また、空気調和機本体２０１は空気調和機本体２０１から吹き出す調和空気の風向を制御する上下風向制御板（左）２０６ａ、上下風向制御板（右）２０６ｂ、左右風向制御板（左）２０７ａ、左右風向制御板（右）２０７ｂも備えている。
【００１２】
次に、リモートコントロール装置９０１について説明する。
【００１３】
図２は、空気調和機９００のリモートコントロール装置９０１の外観図である。
図２に示すように、リモートコントロール装置９０１は、省エネルギー運転情報及び冷房、除湿、暖房、などの運転モードを表示可能なリモートコントロール装置表示部３３０を備えている。このリモートコントロール装置表示部３３０は、例えばドットマトリクスで構成された液晶ディスプレイなどである。
そして、リモートコントロール装置９０１の内部には、空気調和機９００からの信号を受信するリモートコントロール装置受信部３００、空気調和機９００に信号を送信するリモートコントロール装置送信部３０１、各種情報を記憶しているリモートコントロール装置記憶部３２０、リモートコントロール装置記憶部３２０が記憶している各種情報や、空気調和機９００からの信号などを基に各種処理を行うリモートコントロール装置処理部３１０を備えている。
【００１４】
また、リモートコントロール装置９０１は、リモートコントロール装置入力ボタン部３４５を備えている。リモートコントロール装置入力ボタン部３４５は、運転入・切ボタン３３３、シーンセレクトボタン３３４、上方向移動ボタン３３５、メニューボタン３３６、下方向移動ボタン３３７、暖房ボタン３３８、除湿ボタン３３９、冷房ボタン３４０、おしらせナビボタン３４１、戻るボタン３４２、決定ボタン３４３で構成される。
【００１５】
図３は、空気調和機９００とリモートコントロール装置９０１の構成を示すブロック図である。
【００１６】
まず、リモートコントロール装置９０１の構成を説明する。
リモートコントロール装置入力ボタン部３４５は、各ボタン（運転入・切ボタン３３３、シーンセレクトボタン３３４、上方向移動ボタン３３５、メニューボタン３３６、下方向移動ボタン３３７、暖房ボタン３３８、除湿ボタン３３９、冷房ボタン３４０、おしらせナビボタン３４１、戻るボタン３４２、決定ボタン３４３）に対応した信号をリモートコントロール装置処理部３１０に入力する。リモートコントロール装置処理部３１０は、入力された信号に基づき、各ボタン３３３〜３４３に対応する機能に応じた処理を実行する。
リモートコントロール装置表示部３３０は、リモートコントロール装置処理部３１０が出力した信号に対応した表示を行う。
リモートコントロール装置記憶部３２０は、リモートコントロール装置表示部３３０に表示する文字や図形などの情報を記憶している。
リモートコントロール装置送信部３０１は、リモートコントロール装置処理部３１０が出力した信号を空気調和機受信部４００に送信し、リモートコントロール装置受信部３００は、空気調和機送信部４０１が送信した信号を受信する。
【００１７】
次に空気調和機９００の構成を説明する。
輻射センサ２１４と室温センサ２１５はいずれも空気調和対象の部屋の温度データを測定し、空気調和機処理部４１０に入力する。その際に輻射センサ２１４が出力した温度データは、部屋情報検知部４３０を経由する。部屋情報検知部４３０は、入力された温度データから、部屋の広さ、部屋の壁の位置、部屋の床の位置、部屋の形状等の部屋情報を検知する。
空気調和機処理部４１０は、入力された温度データから例えば空気調和機９００から吹き出す調和空気の風向などを決定し、決定された風向などを制御するための信号を空気調和機出力部４４０に入力する。
空気調和機記憶部４２０は、決定された調和空気の風向など空気調和機９００の稼働情報データを記憶する。
空気調和機出力部４４０は、入力された信号に基づき、風向を制御する上下風向（左）制御用ステッピングモーター２１０ａ、上下風向（右）制御用ステッピングモーター２１０ｂ、左右風向（左）制御用ステッピングモーター２１２ａ、左右風向（右）制御用ステッピングモーター２１２ｂを駆動する。その結果、上下風向制御板（左）２０６ａ、上下風向制御板（右）２０６ｂ、左右風向制御板（左）２０７ａ、左右風向制御板（右）２０７ｂが制御される。
また、空気調和機出力部４４０は、吹き出す調和空気の風（気流）の強さを制御するために、入力された信号に基づき、室内送風機２０２を駆動する。
【００１８】
図４は、リモートコントロール装置表示部３３０の表示例である（（ａ）は、シーンセレクトボタン３３４が操作された場合のシーンセレクト画面、（ｂ）はメニューボタン３３６が操作された場合のメニュー画面、（ｃ）はおしらせナビボタン３４１が操作された場合のおしらせナビ画面）。
【００１９】
ここで、各入力ボタン３３３〜３４３に対応する機能を簡単に説明する。
運転入・切ボタン３３３は、空気調和機９００の運転、停止の命令機能に対応する。
暖房ボタン３３８は、空気調和機９００の運転モードを暖房運転にする命令機能に対応する。同様に除湿ボタン３３９は、空気調和機９００の運転モードを除湿運転にする命令機能、冷房ボタン３４０は、空気調和機９００の運転モードを冷房運転にする命令機能に対応する。
【００２０】
シーンセレクトボタン３３４は、リモートコントロール装置記憶部３２０が記憶している調和空気の設定条件の中から、任意の設定条件を選択する機能に対応する。
図４（ａ）は、シーンセレクトボタン３３４が操作された場合にリモートコントロール装置表示部３３０が表示するシーンセレクト画面の例である。「除菌・脱臭したい」「部屋干したい」「早く冷やしたい」「美肌したい」「風をあてたい」という人間の感情を表す項目を表示する。これらの項目はリモートコントロール装置記憶部３２０が記憶している。一方、これらの表示項目に対応した調和空気の設定条件をリモートコントロール装置記憶部３２０が記憶している。例えば「早く冷やしたい」と選択された際に、リモートコントロール装置記憶部３２０は、空気調和機９００から吹き出す調和空気の風の強さの設定を一番強くする等の設定条件を記憶している。そして、その設定条件に基づきリモートコントロール装置処理部３１０は、例えば、室内送風機２０２のファン回転速度を速くする為の各種処理を行う。
【００２１】
メニューボタン３３６は、空気調和機９００の詳細運転設定を行う機能に対応する。例えば図４（ｂ）は、メニューボタン３３６を操作された場合にリモートコントロール装置表示部３３０が表示するメニュー画面の例である。図４（ｂ）においては、「かんたんタイマー」「運転予約」「しつど」「風の調節」「べんり機能」「設定」というリモートコントロール装置記憶部３２０が記憶している項目を表示している。これらの項目に関してリモートコントロール装置操作者が、リモートコントロール装置入力ボタン部３４５を用いて詳細な設定を行う。
【００２２】
上方向移動ボタン３３５は、冷房・暖房運転時の温度、除湿運転時の湿度を上げる方向に変更する機能に対応している。または、上方向移動ボタン３３５は、メニュー画面、シーンセレクト画面などの項目選択を上方向に移動する機能に対応している。そして、下方向移動ボタン３３７は、冷房・暖房運転時の温度、除湿運転時の湿度を下げる方向に変更する機能に対応している。または、下方向移動ボタン３３７は、メニュー画面、シーンセレクト画面などの項目選択を下方向に移動する機能に対応している。また、決定ボタン３４３は前記項目選択を決定する機能に対応している。
例えば図４（ａ）において、リモートコントロール装置表示部３３０は、カーソル３４４を「除菌・脱臭したい」の位置に表示しているが、リモートコントロール装置操作者が「早く冷やしたい」を選択する場合を想定する。リモートコントロール装置操作者は、下方向移動ボタン３３７を２回押してカーソル３４４を下方向に２つ移動し、決定ボタン３４３を押すことで「早く冷やしたい」の選択を決定する。
また、戻るボタン３４２は、メニュー画面、シーンセレクト画面などから図２のような通常の運転表示に戻す機能に対応している。
【００２３】
図４（ｃ）は、おしらせナビボタン３４１が操作された場合にリモートコントロール装置表示部３３０が表示するおしらせナビ画面の例である。おしらせナビは、おしらせナビボタン３４１が操作された時点での空気調和機９００の稼働状態を、リモートコントロール装置表示部３３０が表示する機能である。
【００２４】
ここで、空気調和機９００とリモートコントロール装置９０１の動作を説明する。
【００２５】
図５は、空気調和機９００とリモートコントロール装置９０１の動作を示すフローチャートである。
説明にあたり、おしらせナビの機能を例にする。
リモートコントロール装置入力ボタン部３４５のおしらせナビボタン３４１が押されると、おしらせナビボタン３４１が、おしらせナビボタン３４１に対応した信号をリモートコントロール装置処理部３１０に入力する。
入力されたおしらせナビボタン３４１に対応した信号により、リモートコントロール装置処理部３１０は、空気調和機９００の稼働状態の通知を要求する信号を出力する。
リモートコントロール装置送信部３０１は、リモートコントロール装置処理部３１０が出力した信号を空気調和機受信部４００に送信する。
空気調和機受信部４００は、リモートコントロール装置送信部３０１が送信した信号を受信し、空気調和機処理部４１０に入力する。
空気調和機処理部４１０に入力された信号により、空気調和機処理部４１０は、空気調和機記憶部４２０にアクセスして、空気調和機記憶部４２０に記憶された空気調和機９００の最新の稼働情報データを取得する。
空気調和機処理部４１０が取得した空気調和機９００の稼働情報データを、空気調和機送信部４０１は、リモートコントロール装置受信部３００に送信する。
リモートコントロール装置受信部３００は、空気調和機送信部４０１から送信された稼働情報データを受信して、リモートコントロール装置処理部３１０に入力する。
リモートコントロール装置処理部３１０は、入力された稼働情報データに対応するデータをリモートコントロール装置記憶部３２０に要求する。
また、リモートコントロール装置処理部３１０は、入力された稼働情報データを解析して、解析結果を出力する機能を備えている。そして、リモートコントロール装置処理部３１０は、その解析結果に対応するデータをリモートコントロール装置記憶部３２０に要求することも出来る。
そして、リモートコントロール装置処理部３１０は、リモートコントロール装置記憶部３２０からリモートコントロール装置記憶部３２０が記憶しているデータ（稼働情報データに対応するデータもしくは、解析結果に対応するデータ）を取得する。そして、リモートコントロール装置表示部３３０はリモートコントロール装置処理部３１０が取得したデータを表示する。
【００２６】
図４（ｃ）の例は、省エネルギー運転の情報を示しており、リモートコントロール装置処理部３１０が、リモートコントロール装置処理部３１０に入力された空気調和機９００の稼働情報データを解析した結果である。その結果、設定温度と設定湿度の変更をすることで、省エネルギー運転が可能であると判断したことを示している。あるいは、空気調和機処理部４１０に空気調和機９００の稼働情報データの解析機能を持たせることも可能である。
なお、リモートコントロール装置処理部３１０が、空気調和機９００の省エネルギー運転が可能であると判断した場合は、その判断結果をリモートコントロール装置送信部３０１を介して空気調和機処理部４１０に送信する。そして、空気調和機処理部４１０は情報ランプ２１６を点灯させる処理を行う。空気調和機処理部４１０が、空気調和機９００の省エネルギー運転が可能であると判断した場合は、そのまま空気調和機処理部４１０が、情報ランプ２１６を点灯させる処理を行う。
【００２７】
次に調和空気の制御について説明する。
【００２８】
図６は、空気調和機９００の左右風向制御板の図示を省略した正面図である。
図７は、空気調和機９００の上下風向制御板の図示を省略した正面図である。
図６、図７は空気調和機９００が停止している状態を示す図であるが、図６は上下風向制御板（左）２０６ａ及び上下風向制御板（右）２０６ｂの動作状態を分かりやすくするために左右風向制御板の図示を省略してある。また、図７は左右風向制御板（左）２０７ａ及び左右風向制御板（右）２０７ｂの動作状態を分かりやすくするために上下風向制御板の図示を省略してある。
【００２９】
図８は、空気調和機９００の縦断面図である。
図８に示すように、空気調和機９００は、空気調和機本体２０１の内部に空気を吸い込み吹き出す室内送風機２０２、吸い込み空気に含まれている粉塵等を取り除くプレフィルター２０８、第１の室内熱交換器２０５ａ、第２の室内熱交換器２０５ｂ、第３の室内熱交換器２０５ｃ、第４の室内熱交換器２０５ｄを収納する。
そして、空気調和機本体２０１の空気吸い込み口には吸い込み口２０３が設けられ、空気調和機本体２０１の吹き出し口２０４には上下風向制御板２０６及び左右風向制御板２０７が備え付けられている。
室内送風機２０２は室内ファンモーター（図示しない）により回転駆動される。これにより室内空気が吸い込み口２０３から空気調和機本体２０１内に取り込まれ、プレフィルター２０８により除塵された空気が室内熱交換器２０５ａ〜２０５ｄを通過する際に熱交換される。その後吸い込まれた空気は室内送風機２０２を通過し、吹き出し口２０４に配置された左右風向制御板２０７及び上下風向制御板２０６により上下左右方向に整流され空気調和機本体２０１から室内空間へ吹き出される。
【００３０】
図９は、空気調和機９００の風向制御に関わる駆動部分の構造を示す風向制御駆動部構造図である。
上下風向制御板２０６は、上下風向制御板（左）２０６ａ及び上下風向制御板（右）２０６ｂから構成されている。上下風向制御板（左）２０６ａは上下風向制御板（左）リンク棒２０９ａにより上下風向（左）制御用ステッピングモーター２１０ａと連結される。上下風向（左）制御用ステッピングモーター２１０ａが回転駆動することで上下風向制御板（左）２０６ａの角度が変化し、これにより空気調和機本体２０１から吹き出される左側半分の気流の上下風向角度を調節して整流することができる。
【００３１】
同様に上下風向制御板（右）２０６ｂは、上下風向制御板（右）リンク棒２０９ｂにより上下風向（右）制御用ステッピングモーター２１０ｂと連結される。上下風向（右）制御用ステッピングモーター２１０ｂが回転駆動することで上下風向制御板（右）２０６ｂの角度が変化し、これにより空気調和機本体２０１から吹き出される右側半分の気流の上下風向角度を調節して整流することができる。
【００３２】
左右風向制御板２０７は、左右風向制御板（左）２０７ａ及び左右風向制御板（右）２０７ｂから構成されている。左右風向制御板（左）２０７ａは複数枚の板から構成されるが、複数枚の板が左右風向制御板（左）リンク棒２１１ａにより連結され全て同じ動作を行う。左右風向制御板（左）リンク棒２１１ａの先には左右風向（左）制御用ステッピングモーター２１２ａが連結されている。左右風向（左）制御用ステッピングモーター２１２ａが回転駆動することで左右風向制御板（左）２０７ａの角度が変化し、これにより空気調和機本体２０１から吹き出される左側半分の気流の左右風向角度を調節して整流することができる。
【００３３】
同様に左右風向制御板（右）２０７ｂも複数枚の板から構成されるが、複数枚の板が左右風向制御板（右）リンク棒２１１ｂにより連結され全て同じ動作を行う。左右風向制御板（右）リンク棒２１１ｂの先には左右風向（右）制御用ステッピングモーター２１２ｂが連結されている。左右風向（右）制御用ステッピングモーター２１２ｂが回転駆動することで左右風向制御板（右）２０７ｂの角度が変化し、これにより空気調和機本体２０１から吹き出される右側半分の気流の左右風向角度を調節して整流することができる。
【００３４】
なお、上下風向（左）制御用ステッピングモーター２１０ａ、上下風向（右）制御用ステッピングモーター２１０ｂ、左右風向（左）制御用ステッピングモーター２１２ａ、左右風向（右）制御用ステッピングモーター２１２ｂの回転駆動量は、図３に示す空気調和機処理部４１０が演算する。そして空気調和機処理部４１０で演算された結果に基づき、空気調和機出力部４４０は、上下風向（左）制御用ステッピングモーター２１０ａ、上下風向（右）制御用ステッピングモーター２１０ｂ、左右風向（左）制御用ステッピングモーター２１２ａ、左右風向（右）制御用ステッピングモーター２１２ｂを回転駆動させる。
【００３５】
図１０は、上下風向制御板２０６の制御による風向動作を示す図（（ａ）は、左右風向制御板２０７の図示を省略した正面図、（ｂ）は風向動作を示す側面図）である。
ここで、上下風向制御板（左）２０６ａと上下風向制御板（右）２０６ｂは独立して駆動する。そして、例えば図１０（ｂ）に示すように上下風向制御板２０６の制御により、上下に５段階に風向が切り替わるとする（上下風向（Ａ）５０１、上下風向（Ｂ）５０２、上下風向（Ｃ）５０３、上下風向（Ｄ）５０４、上下風向（Ｅ）５０５）。すなわち、上下風向制御板（左）２０６ａと上下風向制御板（右）２０６ｂは独立しているので、５段階×左右＝１０通りの組み合わせとなる。
また、上下５段階を連続して繰り返し上下に首振り動作を行う、上下風向スイング５０６も風向の切り替えとして設定可能である。
【００３６】
図１１は、左右風向制御板２０７の制御による風向動作を示す上下風向制御板２０６の図示を省略した正面図である。
そして、左右風向制御板２０７の制御により、左右に６段階に風向が切り替わるとする（左右風向（Ａ）５１１、左右風向（Ｂ）５１２、左右風向（Ｃ）５１３、左右風向（Ｄ）５１４、左右風向（Ｅ）５１５、左右風向（Ｆ）５１６）。
また、左右６段階を連続して繰り返し左右に首振り動作を行う、左右風向スイング５１７も風向の切り替えとして設定可能である。
【００３７】
次に、空気調和機９００の動作例について説明する。
【００３８】
空気調和対象の部屋の室温が例えば３０℃であるとし、リモートコントロール装置操作者が、室温を２７．５℃まで下げたいとする。
そして、空気調和機９００の各種設定を空気調和機処理部４１０が判断して行う自動運転モードであるとする。
【００３９】
空気調和機９００が停止状態であるとする。
空気調和を行うために、リモートコントロール装置操作者は、リモートコントロール装置９０１の運転入・切ボタン３３３、または冷房ボタン３４０を操作する。その結果、運転入・切ボタン３３３、または冷房ボタン３４０は、運転入・切ボタン３３３、または冷房ボタン３４０に対応した信号をリモートコントロール装置処理部３１０に入力する。更にリモートコントロール装置処理部３１０は、入力された運転入・切ボタン３３３、または冷房ボタン３４０に対応した信号に基づき処理した信号をリモートコントロール装置送信部３０１に入力する。そして、リモートコントロール装置送信部３０１はリモートコントロール装置処理部３１０で処理された信号を空気調和機受信部４００に送信する。
【００４０】
次に、空気調和対象の部屋の設定温度を設定するために、リモートコントロール装置操作者は上方向移動ボタン３３５もしくは、下方向移動ボタン３３７を操作して、リモートコントロール装置表示部３３０に表示されている設定温度を２７．５度に変更する。この操作により、上方向移動ボタン３３５もしくは、下方向移動ボタン３３７は、設定温度の情報を表す信号をリモートコントロール装置処理部３１０に入力する。リモートコントロール装置処理部３１０は、入力された設定温度の情報を、リモートコントロール装置送信部３０１に入力する。リモートコントロール装置送信部３０１は、入力された設定温度の情報を空気調和機受信部４００に送信する。
【００４１】
一方、空気調和機９００の空気調和機受信部４００は、リモートコントロール装置送信部３０１が送信した信号を受信する。そして、空気調和機受信部４００が受信した信号は空気調和機処理部４１０に送られ、空気調和機処理部４１０は、運転内容が室内の設定温度を２７．５度にする為の冷房運転であることを認識する。
【００４２】
空気調和機９００は、輻射センサ２１４と室温センサ２１５を備えている。輻射センサ２１４は部屋情報検知部４３０を介して、測定した温度の情報を空気調和機処理部４１０に入力する。また、室温センサ２１５も測定した温度の情報を空気調和機処理部４１０に入力する。
室温センサ２１５で測定された温度情報は、室温センサ２１５設置箇所付近の１点の温度データとなるが、輻射センサ２１４で測定された温度情報は、空気調和対象の部屋全体の温度分布データとなる。
【００４３】
輻射センサ２１４として例えば赤外線センサを用いて、空気調和機９００が空気調和対象の部屋全体の温度分布データを取得し、部屋の広さ、部屋の壁の位置、部屋の床の位置を検知する方法については、特開２０１０−９１２５３に示されている。
【００４４】
そして、空気調和機処理部４１０は、室内の設定温度の情報と、センサで測定した測定温度の情報とを比較して、空気調和機９００から吹き出す調和空気の気流の最適な風向、風の強さを演算する。そして、空気調和機記憶部４２０は、空気調和機処理部４１０で演算された気流の情報を含む空気調和機９００の稼働情報を記憶する。
【００４５】
一般的には、冷房時においては、上下の風向きの設定は図１０（ｂ）に示す上下風向（Ａ）５０１のような水平位置となる。一方、暖房時には上下の風向きの設定は図１０（ｂ）に示す上下風向（Ｅ）５０５のような下向きの位置となる。
ただし、冷房時に輻射センサ２１４の測定した温度分布データにおいて、局所的に高温部が存在した場合に、上下及び左右の風向設定はそのエリアに向けたものになる。
【００４６】
また、風の強さについては、例えば、冷房時において、室内の設定温度よりも、センサで測定した測定温度がかなり高い場合を想定する。その場合、空気調和機処理部４１０は、空気調和機出力部４４０に風を強くするように命令する信号を送り、空気調和機出力部４４０はその信号に応じて、室内送風機２０２を駆動する。一方、室内の設定温度と、センサで測定した測定温度の差が少なくなれば、空気調和機処理部４１０は、空気調和機出力部４４０に風を弱くするように命令する信号を送る。
なお、風の強さの設定としては、例えば、風の強さの強い順に「ロング」「強」「中」「弱」「静」の５段階がある。
なお、霜取り運転の場合、風は停止となる。
【００４７】
前記のように空気調和機９００が自動運転モードの場合に、空気調和機９００から吹き出す気流の風向と風の強さは、空気調和機処理部４１０が決定することとなる。
そして、空気調和機処理部４１０が決定した気流の風向と風の強さの内容は、空気調和機本体２０１には表示されない。その為、リモートコントロール装置操作者は、空気調和機処理部４１０が決定した気流の風向と風の強さの内容を知ることが出来ない。
【００４８】
そこで、本実施例において、空気調和機９００から吹き出す気流の風向と風の強さを、リモートコントロール装置操作者が、リモートコントロール装置表示部３３０で確認する方法を説明する。ここで、例えば、空気調和機９００は自動運転モードであり、空気調和機９００から吹き出す気流の風向と風の強さを空気調和機処理部４１０が決定するものとする。
【００４９】
まず、リモートコントロール装置記憶部３２０は、気流情報をリモートコントロール装置表示部３３０で図示する為の気流図形パターン６０１を記憶している。
【００５０】
図１２は、気流図形パターン群（左）６０２ａの図である。
図１３は、気流図形パターン群（右）６０２ｂの図である。
気流図形パターン群６０２とは、気流図形パターン６０１の集合を意味する。また、気流図形パターン群（左）６０２ａは、上下風向制御板（左）２０６ａと左右風向制御板（左）２０７ａによって決まる気流の風向に対応した気流図形パターン群である。気流図形パターン群（右）６０２ｂは、上下風向制御板（右）２０６ｂと左右風向制御板（右）２０７ｂによって決まる気流の風向に対応した気流図形パターン群である。
表の縦方向は、気流図形パターン６０１が対応する上下風向（Ａ）５０１〜（Ｅ）５０５を表し、表の横方向は、気流図形パターン６０１が対応する左右風向（Ａ）５１１〜（Ｆ）５１６の組み合わせを表している。
【００５１】
空気調和機９００から吹き出す調和空気の風の強さは、気流図形パターンの色の濃淡で表現する。図１２と図１３の表において、気流図形パターンは、全て同一の色で図示しており、すなわち全て同一の風の強さ「ロング」を表現している。
風の強さが、「ロング」→「強」→「中」→「弱」→「静」と弱くなるにつれ、より淡い色でリモートコントロール装置表示部３３０は図形を図示することになる。
【００５２】
そして、リモートコントロール装置操作者が、リモートコントロール装置表示部３３０で空気調和機９００の自動運転モード時における空気調和機９００から吹き出す気流の風向と風の強さを確認したいとする。その場合、リモートコントロール装置操作者は、リモートコントロール装置９０１のおしらせナビボタン３４１を操作する。そして、前記で説明の通り、リモートコントロール装置受信部３００は、空気調和機９００の稼働情報データを受信する。
【００５３】
空気調和機９００の稼働情報データには、空気調和機９００の気流情報が含まれている。ここで、気流情報とは、空気調和機９００から吹き出す調和空気（気流）の風向及び風の強さの情報である。
そして、本実施例では、上下風向制御板２０６と左右風向制御板２０７がそれぞれ左右２つに独立しているので、空気調和機９００から吹き出す調和空気の気流も左右独立した部分気流となる。従って、気流情報も左右独立した部分気流情報である部分気流情報（左）と部分気流情報（右）となる。
【００５４】
例えば、気流情報の第一の例として、リモートコントロール装置受信部３００が受信した空気調和機９００の稼働情報データに含まれる気流情報の左右風向が（Ａ）〜（Ｆ）全ての範囲、上下風向が（Ｅ）の範囲、風の強さが「ロング」であったとする。
すなわち、空気調和機９００の部分気流情報（左）は、左右風向が（Ａ）〜（Ｃ）の範囲で、上下風向が（Ｅ）の範囲で、風の強さが「ロング」である。空気調和機９００の部分気流情報（右）は、左右風向が（Ｄ）〜（Ｆ）の範囲で、上下風向が（Ｅ）の範囲で、風の強さが「ロング」である。
【００５５】
そして、リモートコントロール装置受信部３００は、リモートコントロール装置処理部３１０に、気流情報（部分気流情報）を入力する。
リモートコントロール装置処理部３１０は、リモートコントロール装置記憶部３２０が記憶している気流図形パターン群６０２の中で、気流情報に合致した気流図形パターン６０１を気流情報パターン６０３として認識する。
本実施例では、上下風向制御板２０６と左右風向制御板２０７とがそれぞれ左右２つに独立しているので、気流情報パターン６０３は、左右独立した部分気流情報パターン（左）６０３ａと部分気流情報パターン（右）６０３ｂの組み合わせで構成されることになる。
【００５６】
例えば、空気調和機９００の部分気流情報（左）は、左右風向が（Ａ）〜（Ｃ）の範囲で、上下風向が（Ｅ）の範囲で、風の強さが「ロング」である。そこで、対応する気流図形パターンは、気流図形パターン群（左）６０２ａを示す図１２の図中の気流図形パターン６０１ａである。よって、リモートコントロール装置処理部３１０は、気流図形パターン６０１ａが部分気流情報パターン（左）６０３ａであると認識する。
一方、空気調和機９００の部分気流情報（右）は、左右風向が（Ｄ）〜（Ｆ）の範囲で、上下風向が（Ｅ）の範囲で、風の強さが「ロング」である。そこで、対応する気流図形パターンは、気流図形パターン群（右）６０２ｂを示す図１３の図中の気流図形パターン６０１ｂである。よって、リモートコントロール装置処理部３１０は、気流図形パターン６０１ｂが部分気流情報パターン（右）６０３ｂであると認識する。
そして、リモートコントロール装置処理部３１０は、部分気流情報パターン（左）６０３ａと部分気流情報パターン（右）６０３ｂを組み合わせた気流情報パターン６０３を生成する。
【００５７】
図１４は、気流情報パターンの表示例を示す図である（（ａ）は、気流情報の第一の例、（ｂ）は、気流情報の第二の例、（ｃ）は、気流情報の第三の例）。
図１４（ａ）に示すように、リモートコントロール装置表示部３３０は、リモートコントロール装置処理部で生成された気流情報パターン６０３（部分気流情報パターン（左）６０３ａと部分気流情報パターン（右）６０３ｂを組み合わせ）を表示する。
【００５８】
図１４（ｂ）は、気流情報の第二の例を示している。部分気流情報パターン（左）６０３ａは、左右風向が（Ａ）〜（Ｂ）の範囲で、上下風向が（Ｅ）の範囲で、風の強さが「ロング」であり、部分気流情報パターン（右）６０３ｂは、左右風向が（Ｅ）〜（Ｆ）の範囲で、上下風向が（Ｅ）の範囲で、風の強さが「ロング」であることが分かる。
【００５９】
図１４（ｃ）は、気流情報の第三の例を示している。風向は、図１４（ａ）と同じであるが、気流情報パターンの色が薄くなっている。図１４（ｃ）の気流情報パターンの色は、風の強さが「静」の場合を示す。
風の強さが、「ロング」→「強」→「中」→「弱」→「静」と変化するにつれ、気流情報パターンの色は濃い色から淡い色に変化する。
ここで、図１４（ａ）は風の強さが「ロング」であり、一番濃い色の気流情報パターンを示す。一方、図１４（ｃ）は風の強さが「静」であり、一番淡い色の気流情報パターンを示す。そして、「強」「中」「弱」は、「ロング」と「静」の中間の階調色で示される。
このように、空気調和機９００から吹き出す気流の強さ（風の強さ）もリモートコントロール装置表示部３３０は、表示する。
【００６０】
また空気調和機９００が備える輻射センサ２１４の温度データにより、部屋情報検知部４３０は、空気調和対象の部屋の広さ、床や壁の位置を検知する。そして、空気調和機９００の自動運転モード時に、空気調和機処理部４１０は、部屋情報検知部４３０で検知された部屋の情報を基に、部屋のどのエリアに気流を吹き出すかを判断し、気流の風向を決定する。
すなわち、部屋情報検知部４３０で検知された部屋の情報を基に、空気調和機処理部４１０が気流の風向を決定することにより、部屋のどのエリアに気流を吹き出しているかという情報は決定されることになる。
ここで、リモートコントロール装置記憶部３２０は、図１４（ｃ）に示すような部屋の床面を表現する床面グリッドパターン６０４を記憶している。そして、リモートコントロール装置表示部３３０は、この床面グリッドパターン６０４を表示出来る。この床面グリッドパターン６０４は気流情報に関係なく、固定の図形であり、リモートコントロール装置表示部３３０の固定の位置に表示される。そして、リモートコントロール装置表示部３３０は、気流の風向を床面グリッドパターン６０４に重ねて表示出来る。リモートコントロール装置操作者は、このリモートコントロール装置表示部３３０を確認することで、部屋のどのエリアに気流を吹き出しているかということが分かる。
【００６１】
図１５は、気流情報パターンの一覧を示す図である。
ここで、同じ枠内の部分気流情報パターン（左）と部分気流情報パターン（右）の上下風向は同じものを組み合わせている。更に風の強さは全て「ロング」である。
【００６２】
リモートコントロール装置表示部３３０が気流情報パターン６０３を表示することで、空気調和機９００の自動運転モード時における、空気調和機処理部４１０が決定した空気調和機９００から吹き出す気流の風向と風の強さを、リモートコントロール装置操作者は容易に確認することができる。
すなわち、天井近くに据え付けられている空気調和機本体２０１の上下風向制御板２０６もしくは、左右風向制御板２０７を見なくても、手元のリモートコントロール装置９０１でリモートコントロール装置操作者は空気調和機９００の稼働状況を確認することができる。
【００６３】
リモートコントロール装置受信部３００が受信する空気調和機９００の稼働情報データには、空気調和機９００の省エネルギー運転や暖房時の霜取り運転などの運転状況を示すデータも含まれている。その為、リモートコントロール装置表示部３３０は、省エネルギー運転や暖房時の霜取り運転であることの運転状況表示を行うことも可能である。よって、同様にリモートコントロール装置操作者は、手元のリモートコントロール装置９０１で運転状況の確認を行うことができる。
【００６４】
リモートコントロール装置表示部３３０は、空気調和機本体を示す図形６０５（図１４（ｃ）参照）から床面グリッドパターン６０４に向かっての風の流れを表現する為に、気流情報パターンの色の有る無しを連続で変化させてアニメーションで表示することも可能である。
【００６５】
本実施例においては、上下風向制御板２０６と左右風向制御板２０７がそれぞれ左右２つに独立した例を示したが、この例に限定されるものでは無い。
例えば、上下風向制御板２０６と左右風向制御板２０７がそれぞれ左、中、右と３つに独立していても良い。この場合、部分気流情報、部分気流情報パターンは３つ存在する。
上下風向制御板２０６と左右風向制御板２０７が更に多数に独立していても良い。
また、上下風向制御板２０６と左右風向制御板２０７が一つしか無くても良い。この場合は、部分気流情報、部分気流情報パターンは存在しない。リモートコントロール装置処理部３１０は、一つの気流情報に対して、一つの気流情報パターンを選択することになる。
【００６６】
また、本実施例においては、リモートコントロール装置受信部３００が受信した空気調和機９００の稼働情報データに含まれる気流情報に基づいて、リモートコントロール装置処理部３１０は気流情報パターン６０３を決定していたが、この例に限定されるものでは無い。
例えば、空気調和機出力部４４０は、室内送風機２０２が備えているファンを駆動する為の信号を出力する。そして、室内送風機２０２が備えているファンの回転速度は、空気調和機出力部４４０が出力する信号の出力電圧に比例する。すなわち、空気調和機出力部４４０が出力する信号の出力電圧値から、空気調和機９００から吹き出す風の強さを決定することが出来る。
そして、空気調和機送信部４０１は、空気調和機９００の稼働情報データに空気調和機出力部４４０が出力する信号の出力電圧値に関する情報を含んで送信する。
一方、リモートコントロール装置記憶部３２０は、空気調和機出力部４４０が出力する信号の出力電圧値に対する風の強さの設定電圧値を記憶している。
例えば、出力電圧０Ｖ：停止、１０Ｖ：静、２０Ｖ：弱、３０Ｖ：中、４０Ｖ：強、５０Ｖ：ロング。
そして、リモートコントロール装置処理部３１０は、稼働情報データに含まれる空気調和機出力部４４０が出力する信号の出力電圧値と、リモートコントロール装置記憶部３２０が記憶している風の強さの設定電圧値とを比較する。その結果、リモートコントロール装置処理部３１０は、気流情報パターン６０３の風の強さを決定することが出来る。
また、リモートコントロール装置処理部３１０は、上下風向制御板２０６と左右風向制御板２０７を制御するステッピングモーター（上下風向（左）制御用ステッピングモーター２１０ａ、上下風向（右）制御用ステッピングモーター２１０ｂ、左右風向（左）制御用ステッピングモーター２１２ａ、左右風向（右）制御用ステッピングモーター２１２ｂ）を駆動するために空気調和機出力部４４０が出力する信号の情報を、稼働情報データに含まれる情報として得ることで、気流情報パターン６０３の風向を決定することが出来る。
このように、リモートコントロール装置処理部３１０は、空気調和機９００の稼働情報データに含まれる気流情報（例えば風向、風の強さ）に限らず、空気調和機９００の稼働情報データに含まれる各種情報（例えば空気調和機出力部４４０が出力する信号の出力電圧値）から、気流情報パターン６０３を決定することが出来る。
【００６７】
実施の形態２．
図１６は、空気調和機９００とリモートコントロール装置９０１の構成を示すブロック図である。本実施例においては、空気調和機９００は、人体位置情報検知部４３１を備えている。
【００６８】
輻射センサ２１４は、空気調和対象の部屋の温度データを測定する。そして、輻射センサ２１４が測定した温度データを基に、人体位置情報検知部４３１は人体の存在するエリアを検知し、その人体位置情報を空気調和機処理部４１０に入力する。
人体の位置を検知する方法については、前記の特開２０１０−９１２５３に示されている。
【００６９】
更に空気調和機記憶部４２０は、空気調和機処理部４１０に入力された人体位置情報を記憶する。
そして、実施の形態１と同様に、リモートコントロール装置操作者が、おしらせナビボタン３４１を操作した際に、空気調和機処理部４１０は最新の人体位置情報を空気調和機記憶部４２０から取得する。そして、空気調和機送信部４０１は空気調和機処理部４１０が取得した人体位置情報をリモートコントロール装置９０１に送信する。
【００７０】
一方、リモートコントロール装置記憶部３２０は、人体を表現する人体図形パターン６０６と部屋の床面を表現する床面グリッドパターン６０４を記憶している。
【００７１】
リモートコントロール装置表示部３３０は、床面グリッドパターン６０４を表示する。
そして、リモートコントロール装置処理部３１０は、人体位置情報を基に人体図形パターン６０６をリモートコントロール装置表示部３３０に表示された床面グリッドパターン６０４のどの位置に配置するか演算する。
リモートコントロール装置表示部３３０は、リモートコントロール装置処理部３１０で演算された表示位置に人体図形パターン６０６を表示する。
【００７２】
図１７は、人体図形パターン６０６の表示例を示す図である（（ａ）は、人体図形パターン６０６のみの表示、（ｂ）は、人体図形パターン６０６と気流情報パターン６０３の表示）。
図１７（ａ）に示すように、リモートコントロール装置表示部３３０に、人体位置情報に基づき、人体図形パターン６０６を表示させることで、リモートコントロール装置操作者は、空気調和機９００の人体位置情報検出機能が正常に動作していることを容易に確認出来る。
【００７３】
また、図１７（ｂ）に示すように、人体図形パターン６０６と気流情報パターン６０３を同時に表示させることで、リモートコントロール装置操作者は、空気調和機９００が吹き出す気流の風向と人体との位置関係を容易に確認出来る。
なお、気流の風向と風の強さは、人体位置情報を基に空気調和機処理部４１０が設定した場合と、リモートコントロール装置操作者が手動で任意の風向と風の強さに設定した場合とがある。
気流の風向を空気調和機処理部４１０が設定した場合、リモートコントロール装置操作者は、リモートコントロール装置表示部３３０を目視することで、空気調和機処理部４１０の設定が正常になされていることを確認出来る。また、気流の風向をリモートコントロール装置操作者が手動で設定した場合は、リモートコントロール装置操作者は、リモートコントロール装置表示部３３０を目視することで、更に適切な風向、風の強さに手動修正することが出来る。
【００７４】
実施の形態３．
図１８は、風よけモードと風あてモードを示す図である（（ａ）は風よけモードを示す図、（ｂ）は風あてモードを示す図）。
【００７５】
例えば、リモートコントロール装置操作者が、空気調和機９００の冷房運転時に調和空気の気流が直接頭部に当たることを不快に感じた場合を想定する。その際にリモートコントロール装置操作者は、シーンセレクトボタン３３４を操作して「風をよけたい」を選択する。この操作により空気調和機９００は、風よけモードで運転することになる。
そして、リモートコントロール装置記憶部３２０は、風よけモードという情報を記憶する。もしくは、風よけモードという情報は空気調和機９００側に送信され、空気調和機記憶部４２０が風よけモードという情報を記憶する。空気調和機記憶部４２０が風よけモードという情報を記憶した場合は、空気調和機９００の稼働情報データは風よけモードという情報を含んで構成される。
ここで、風よけモードについて説明する。まず、人体位置情報検知部４３１は、空気調和対象の部屋に居る人体の位置を検出する。そして、空気調和機処理部４１０は、検出された人体位置をさけて空気調和機９００の調和空気を吹き出すように上下風向制御板２０６と左右風向制御板２０７を制御する。その結果、人体は空気調和機９００の吹き出す調和空気の気流が直接当たるのを避けることが出来る。
【００７６】
一方、リモートコントロール装置記憶部３２０は、風よけモードを示す人体図形パターンである風よけモード人体図形パターン６０７を記憶している。
そして、リモートコントロール装置処理部３１０は、リモートコントロール装置記憶部３２０が記憶している風よけモードという情報もしくは空気調和機９００の稼働情報に含まれている風よけモードという情報を基に風よけモードであることを認識し、人体位置情報を基に風よけモード人体図形パターン６０７の表示位置を演算する。
そして、リモートコントロール装置表示部３３０は、リモートコントロール装置処理部３１０で演算された表示位置に風よけモード人体図形パターン６０７を表示する。
図１８（ａ）に示すように、風よけモード人体図形パターン６０７と気流情報パターン６０３を同時に表示させることで、リモートコントロール装置操作者は、風よけモードが正常に動作していることを容易に確認出来る。
また、実施の形態２と同様に、リモートコントロール装置表示部３３０は、部屋の床面を表現する床面グリッドパターン６０４も同時に表示することが出来る。
【００７７】
また、例えば、リモートコントロール装置操作者が、運動直後などで急速に体を冷やしたいと感じた場合を想定する。その際にリモートコントロール装置操作者は、シーンセレクトボタン３３４を操作して「風をあてたい」を選択する。この操作により空気調和機９００は、風あてモードで運転することになる。
そして、リモートコントロール装置記憶部３２０は、風あてモードという情報を記憶する。もしくは、風あてモードという情報は空気調和機９００側に送信され、空気調和機記憶部４２０が風あてモードという情報を記憶する。空気調和機記憶部４２０が風あてモードという情報を記憶した場合は、空気調和機９００の稼働情報データは風あてモードという情報を含んで構成される。
ここで、風あてモードについて説明する。まず、人体位置情報検知部４３１は、空気調和対象の部屋に居る人体の位置を検出する。そして、空気調和機処理部４１０は、検出された人体位置を狙って空気調和機９００の調和空気を吹き出すように上下風向制御板２０６と左右風向制御板２０７を制御する。その結果、人体は空気調和機９００の吹き出す調和空気の気流が直接当たることが出来る。
【００７８】
一方、リモートコントロール装置記憶部３２０は、風あてモードを示す人体図形パターンである風あてモード人体図形パターン６０８を記憶している。
そして、リモートコントロール装置処理部３１０は、リモートコントロール装置記憶部３２０が記憶している風あてモードという情報もしくは空気調和機９００の稼働情報に含まれている風あてモードという情報を基に風あてモードであることを認識し、人体位置情報を基に風あてモード人体図形パターン６０８の表示位置を演算する。
そして、リモートコントロール装置表示部３３０は、リモートコントロール装置処理部３１０で演算された表示位置に風あてモード人体図形パターン６０８を表示する。
図１８（ｂ）に示すように、風あてモード人体図形パターン６０８と気流情報パターン６０３を同時に表示させることで、リモートコントロール装置操作者は、風あてモードが正常に動作していることを容易に確認出来る。
また、実施の形態２と同様に、リモートコントロール装置表示部３３０は、部屋の床面を表現する床面グリッドパターン６０４も同時に表示することが出来る。
【符号の説明】
【００７９】
２０１  空気調和機本体、２０２  室内送風機、２０３  吸い込み口、２０４  吹き出し口、２０５ａ  第１の室内熱交換器、２０５ｂ  第２の室内熱交換器、２０５ｃ  第３の室内熱交換器、２０５ｄ  第４の室内熱交換器、２０６  上下風向制御板、２０６ａ  上下風向制御板（左）、２０６ｂ  上下風向制御板（右）、２０７  左右風向制御板、２０７ａ  左右風向制御板（左）、２０７ｂ  左右風向制御板（右）、２０８  プレフィルター、２０９ａ  上下風向制御板（左）リンク棒、２０９ｂ  上下風向制御板（右）リンク棒、２１０ａ  上下風向（左）制御用ステッピングモーター、２１０ｂ  上下風向（右）制御用ステッピングモーター、２１１ａ  左右風向制御板（左）リンク棒、２１１ｂ  左右風向制御板（右）リンク棒、２１２ａ  左右風向（左）制御用ステッピングモーター、２１２ｂ  左右風向（右）制御用ステッピングモーター、２１４  輻射センサ、２１５  室温センサ、２１６  情報ランプ、３００  リモートコントロール装置受信部、３０１  リモートコントロール装置送信部、３１０  リモートコントロール装置処理部、３２０  リモートコントロール装置記憶部、３３０  リモートコントロール装置表示部、３３３  運転入・切ボタン、３３４  シーンセレクトボタン、３３５  上方向移動ボタン、３３６  メニューボタン、３３７  下方向移動ボタン、３３８  暖房ボタン、３３９  除湿ボタン、３４０  冷房ボタン、３４１  おしらせナビボタン、３４２  戻るボタン、３４３  決定ボタン、３４４  カーソル、３４５  リモートコントロール装置入力ボタン部、４００  空気調和機受信部、４０１  空気調和機送信部、４１０  空気調和機処理部、４２０  空気調和機記憶部、４３０  部屋情報検知部、４３１  人体位置情報検知部、４４０  空気調和機出力部、５０１  上下風向（Ａ）、５０２  上下風向（Ｂ）、５０３  上下風向（Ｃ）、５０４  上下風向（Ｄ）、５０５  上下風向（Ｅ）、５０６  上下風向スイング、５１１  左右風向（Ａ）、５１２  左右風向（Ｂ）、５１３  左右風向（Ｃ）、５１４  左右風向（Ｄ）、５１５  左右風向（Ｅ）、５１６  左右風向（Ｆ）、５１７  左右風向スイング、６０１  気流図形パターン、６０２ａ  気流図形パターン群（左）、６０２ｂ  気流図形パターン群（右）、６０３  気流情報パターン、６０３ａ  部分気流情報パターン（左）、６０３ｂ  部分気流情報パターン（右）、６０４  床面グリッドパターン、６０５  空気調和機本体を示す図形、６０６  人体図形パターン、６０７  風よけモード人体図形パターン、６０８  風あてモード人体図形パターン、９００  空気調和機、９０１  リモートコントロール装置。
【図１】
0005465133.tif 000002
【図２】
0005465133.tif 000003
【図３】
0005465133.tif 000004
【図４】
0005465133.tif 000005
【図５】
0005465133.tif 000006
【図６】
0005465133.tif 000007
【図７】
0005465133.tif 000008
【図８】
0005465133.tif 000009
【図９】
0005465133.tif 000010
【図１０】
0005465133.tif 000011
【図１１】
0005465133.tif 000012
【図１２】
0005465133.tif 000013
【図１３】
0005465133.tif 000014
【図１４】
0005465133.tif 000015
【図１５】
0005465133.tif 000016
【図１６】
0005465133.tif 000017
【図１７】
0005465133.tif 000018
【図１８】
0005465133.tif 000019